(57)【要約】【課題】本発明は、ジョブチケットを利用した印刷において、該ジョブチケットの印刷設定を満たすジョブチケットを生成し直す。【解決手段】コンピュータＰＣ１〜ＰＣｎは、ＪＤＦジョブチケット解析部３２が、インポート対象のＪＤＦジョブチケットを解析して、該ジョブチケットの印刷設定が印刷先の印刷装置３の備えている有効印刷機能の範囲内であるか否かを判断する。ＪＤＦジョブチケット解析部３２は、有効印刷機能以外の印刷設定に関する情報を、ＵＩ部３２に通知する。ＪＤＦジョブチケット作成部３５は、該通知に応じて前記有効印刷機能以外の印刷設定に対する対応方法を受け取ると、受け取った該有効印刷機能以外の印刷設定と前記有効印刷機能の印刷設定を統合し、統合した統合印刷設定に基づいてジョブチケットを再作成する。【選択図】          図１
2014215800.tif 000002
【特許請求の範囲】
【請求項１】
インポート対象のジョブチケットを解析して、該ジョブチケットの印刷設定が印刷先の印刷装置の備えている有効印刷機能の範囲内であるか否かを判断する解析手段と、
前記解析結果に基づいて、前記有効印刷機能以外の印刷設定に関する情報を通知する通知手段と、
前記通知手段の通知に応じて前記有効印刷機能以外の印刷設定に対する対応方法を受け取る受取手段と、
前記受取手段の受け取った前記有効印刷機能以外の印刷設定と前記有効印刷機能の印刷設定を統合して統合印刷設定を生成する統合手段と、
を備えていることを特徴とする情報処理装置。
【請求項２】
前記情報処理装置は、
前記統合手段の統合した前記統合印刷設定に基づいてジョブチケットを再作成するチケット再作成手段を、さらに備えていることを特徴とする請求項１記載の情報処理装置。
【請求項３】
前記統合手段は、
前記受取手段が、前記有効印刷機能以外の印刷設定を破棄する旨の対応方法を受け取ると、該破棄する旨の対応方法を受け取った印刷設定については、該印刷設定のパラメータをデフォルトのパラメータで上書きした後、その他の前記有効印刷機能以外の印刷設定と前記有効印刷機能の印刷設定を統合することを特徴とする請求項１または請求項２記載の情報処理装置。
【請求項４】
前記受付手段は、
前記有効印刷機能については、前記印刷設定の変更の受け付けを拒否することを特徴とする請求項１から請求項３のいずれかに記載の情報処理装置。
【請求項５】
前記情報処理装置は、
前記通知手段が通知する前記有効印刷機能以外の印刷設定情報についてのみ印刷設定の変更を可能とする印刷設定入力手段を、さらに備えていることを特徴とする請求項１から請求項４のいずれかに記載の情報処理装置。
【請求項６】
外部から送られてくるジョブチケットと印刷データを受け取って、情報処理部で該ジョブチケットを解析して、該ジョブチケットで指示されている印刷設定に基づいて該印刷データを印刷する印刷装置であって、
前記情報処理部として、請求項１から請求項５の何れかに記載の情報処理装置を搭載していることを特徴とする印刷装置。
【請求項７】
情報処理装置からジョブチケットと印刷データを印刷先の印刷装置に送って、該印刷装置において、該ジョブチケットで指示されている印刷設定に基づいて該印刷データを印刷する印刷システムであって、
前記情報処理装置は、請求項１から請求項５のいずれかに記載の情報処理装置であることを特徴とする印刷システム。
【請求項８】
インポート対象のジョブチケットを解析して、該ジョブチケットの印刷設定が印刷先の印刷装置の備えている有効印刷機能の範囲内であるか否かを判断する解析処理ステップと、
前記解析結果に基づいて、前記有効印刷機能以外の印刷設定に関する情報を通知する通知処理ステップと、
前記通知処理ステップでの通知に応じて前記有効印刷機能以外の印刷設定に対する対応方法を受け取る受取処理ステップと、
前記受取処理ステップで受け取った前記有効印刷機能以外の印刷設定と前記有効印刷機能の印刷設定を統合して統合印刷設定を生成する統合処理ステップと、
を有していることを特徴とする情報処理方法。
【請求項９】
制御プロセッサに、
インポート対象のジョブチケットを解析する解析して、該ジョブチケットの印刷設定が印刷先の印刷装置の備えている有効印刷機能の範囲内であるか否かを判断する解析処理と、
前記解析結果に基づいて、前記有効印刷機能以外の印刷設定に関する情報を通知する通知処理と、
前記通知処理での通知に応じて前記有効印刷機能以外の印刷設定に対する対応方法を受け取る受取処理と、
前記受取処理で受け取った前記有効印刷機能以外の印刷設定と前記有効印刷機能の印刷設定を統合して統合印刷設定を生成する統合処理と、
を実行させることを特徴とする情報処理プログラム。
【発明の詳細な説明】
【技術分野】
【０００１】
本発明は、情報処理装置、印刷装置、印刷システム、情報処理方法及び情報処理プログラムに関し、詳細には、ジョブチケットを利用した印刷において、該ジョブチケットの印刷設定を満たすジョブチケットを生成し直す情報処理装置、印刷装置、印刷システム、情報処理方法及び情報処理プログラムに関する。
【背景技術】
【０００２】
プロダクションプリンティング業界においては、印刷物がそのまま商品になり、また、過去に印刷した商品を、増刷等によって、再度、同じ印刷設定で印刷することがある。
【０００３】
そして、プロダクションプリンティング業界においては、ジョブチケットを使用して印刷することが行われるようになってきている。ジョブチケットは、印刷用のデジタル設定指示書であり、例えば、ＣＩＰ４（The International Cooperation for the Integration of Processes in Prepress, Press and Postpress Organization：プリプレス・プレス・ポストプレスの工程統合管理のための国際標準化団体）が定めるＪＤＦ（Job Definition Format）がある。このジョブチケットは、印刷時の設計指示書と呼ばれるものであり、この設計指示書には、ページの配置指定や色情報の指定等の前印刷工程、実際に印刷を行う印刷工程、印刷した後に綴じたり、裁断する後処理工程等の印刷に関する詳細な印刷設定情報を記述することができ、また、工程の途中で情報の追加も可能である。
【０００４】
このジョブチケット、例えば、ＪＤＦジョブチケットは、基本的には、ページ記述言語（ＰＤＬ）とは独立しており、単体で保存可能で、また、再利用可能である。
【０００５】
そこで、従来から、過去にジョブチケット（例えば、ＪＤＦジョブチケット）を使用して印刷した印刷物の再印刷を行うような場合に、このジョブチケットを再利用して過去の印刷と同じ印刷条件で印刷を行うことができる。例えば、印刷装置において、印刷設定を復元する場合、ジョブチケットをインポートして、印刷設定を解析し、印刷設定として取り込む技術が既に知られている。
【０００６】
そして、この場合、従来では、例えば、印刷装置であって、印刷ジョブを実行する際に使用される複数の機能ごとに、当該機能が前記印刷装置において使用できない場合に前記印刷ジョブを実行しないよう登録する登録手段と、印刷ジョブを入力する入力手段と、前記入力手段により入力された印刷ジョブを実行する際に使用すべき機能のうち、前記印刷装置において使用できない機能を特定する特定手段と、前記特定手段により特定された機能が前記登録手段により印刷ジョブを実行しないよう登録された機能である場合に、前記入力手段により入力された印刷ジョブを実行せず、前記特定手段により特定された機能が前記登録手段により印刷ジョブを実行しないよう登録された機能でない場合に、前記特定手段により特定された機能を使用せずに前記入力手段により入力された印刷ジョブを実行する実行手段とを有する印刷装置が提案されている（特許文献１参照）。
【０００７】
すなわち、この従来技術は、例えば、ジョブチケット等の印刷設定を印刷先の印刷装置にインポートする場合に、該印刷設定に、該印刷装置で実行不可能な機能が登録されていると、印刷ジョブをキャンセルしている。
【発明の概要】
【発明が解決しようとする課題】
【０００８】
しかしながら、上記公報記載の従来技術にあっては、ジョブチケット等で印刷設定を行う場合に、印刷先の印刷装置が備えていない機能が含まれていると、印刷ジョブをキャンセルしている。したがって、ユーザの意図しない印刷を実行してしまうことを防止することはできるが、ジョブチケット等で設定されているユーザの意図する印刷を行うことができないという問題があった。この問題は、例えば、ジョブチケットを用いてコンピュータ等のホスト装置で印刷設定して印刷ジョブを印刷装置に送信して印刷処理を行わせる場合にも、同様に発生する。
【０００９】
すなわち、ホスト装置においてジョブチケットをインポートして印刷設定を取り込む場合、ジョブチケットを用いてインポートを行う側のモジュールであるホスト装置の印刷設定を行うプリンタドライバの備えている機能に影響される。例えば、ジョブチケットで設定されている印刷設定の機能の一部が、プリンタドライバでサポートしていないパラメータを含んでいるような場合に、影響される。
【００１０】
この場合、プリンタドライバは、ジョブチケットのインポートにおいてエラーとして処理、あるいは、該当するパラメータを、プリンタドライバの設定可能なパラメータで上書きする処理等を行うこととなり、過去の印刷設定と同じ印刷設定での印刷を行うことができないという問題があった。
【００１１】
そこで、本発明は、ジョブチケットを利用した印刷において、該ジョブチケットの印刷設定を満たす印刷設定を生成することを目的としている。
【課題を解決するための手段】
【００１２】
上記目的を達成するために、請求項１記載の情報処理装置は、インポート対象のジョブチケットを解析して、該ジョブチケットの印刷設定が印刷先の印刷装置の備えている有効印刷機能の範囲内であるか否かを判断する解析手段と、前記解析結果に基づいて、前記有効印刷機能以外の印刷設定に関する情報を通知する通知手段と、前記通知手段の通知に応じて前記有効印刷機能以外の印刷設定に対する対応方法を受け取る受取手段と、前記受取手段の受け取った前記有効印刷機能以外の印刷設定と前記有効印刷機能の印刷設定を統合して統合印刷設定を生成する統合手段と、を備えていることを特徴としている。
【発明の効果】
【００１３】
本発明によれば、ジョブチケットを利用した印刷において、該ジョブチケットの印刷設定を満たす印刷設定を生成することができる。
【図面の簡単な説明】
【００１４】
【図１】本発明の一実施例を適用した印刷システムの構成図。
【図２】コンピュータの要部ブロック構成図。
【図３】コンピュータの機能ブロック構成図。
【図４】ＪＤＦジョブチケット再生成処理を示すフローチャート。
【図５】ＪＤＦジョブチケット再生成処理の続きの処理を示すフローチャート。
【図６】ＪＤＦジョブチケットインポート画面の一例を示す図。
【図７】サポート外パラメータの説明図。
【図８】ＪＤＦジョブチケット情報保持部の保持する設定値の一例を示す図。
【図９】サポート外機能通知画面の一例を示す図。
【図１０】サポート外機能の保持有効／無効を選択可能なＪＤＦジョブチケットインポート画面の一例を示す図。
【図１１】サポート外機能保持選択を伴うＪＤＦジョブチケット再生処理を示すフローチャート。
【図１２】印刷設定変更付加状態を示す印刷設定画面の一例を示す図。
【発明を実施するための形態】
【００１５】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１６】
図１〜図１２は、本発明の情報処理装置、印刷装置、印刷システム、情報処理方法及び情報処理プログラムの一実施例を示す図であり、図１は、本発明の情報処理装置、印刷装置、印刷システム、情報処理方法及び情報処理プログラムの一実施例を適用した印刷システム１の構成図である。
【００１７】
図１において、印刷システム１は、ＬＡＮ（Local Area Network）等の有線または無線のネットワーク（通信網）ＮＷに複数のコンピュータＰＣ１〜ＰＣｎとＤＦＥ（Digital Front End）コントローラ装置２が接続されている。ＤＦＥコントローラ装置２は、例えば、専用線等によって印刷装置３と接続されている。なお、図１では、印刷システム１は、ＤＦＥコントローラ装置２に１台の印刷装置３のみが接続されているが、複数台の印刷装置が接続されていてもよい。
【００１８】
印刷装置３は、プリンタ装置等が用いられ、ＤＦＥコントローラ装置２からの印刷ジョブに基づいて、所定の印刷方式、例えば、電子写真方式、インクジェット方式で、用紙やフィルム等の記録媒体（以下、単に、用紙という。）に画像を印刷出力する。
【００１９】
ＤＥＦコントローラ装置２は、コンピュータＰＣ１〜ＰＣｎからネットワークＮＷを介して印刷データと印刷設定情報を含む印刷ジョブ、例えば、ＪＤＦジョブチケットと印刷データを受信する。ＤＥＦコントローラ装置２は、コンピュータＰＣ１〜ＰＣｎから送られてきた印刷ジョブに対してＲＩＰ（Raster Image Processor）処理を行って、処理後のデータ（描画データ）を、一旦内部メモリに格納した後、印刷装置３へ送信する。
【００２０】
コンピュータＰＣ１〜ＰＣｎは、通常のハードウェア構成とソフトウェア構成のコンピュータが用いられており、ソフトウェアとして、本発明の情報処理プログラムが搭載されている。コンピュータＰＣ１〜ＰＣｎは、例えば、図２に示すように、ＣＰＵ（Central Processing Unit ）１１、メモリ１２、入力部１３、出力部１４及び通信部１５等を備えており、各部は、バス１６で接続されている。
【００２１】
メモリ１２は、図３に示すように、アプリケーション２１、プリンタドライバ２２及びポートモニタ２３等のプログラム及び必要なシステムデータが格納されている。また、メモリ１２は、アプリケーション２１によって作成、編集等の行われた文書データやその他のデータが保管され、特に、本発明のユーザの意図する印刷結果となる印刷構成情報であるか否かを確認して適切な処理を行う情報処理方法を実現する情報処理プログラムが、上記プログラムの一部として組み込まれることで、または、単独で導入される。
【００２２】
入力部（受取手段、印刷設定入力手段）１３は、キーボード、マウス、ポインティングデバイス等の入力ＵＩ（ユーザインターフェイス）であり、ＣＰＵ１１の制御下で、各種命令や文字等の入力を受け付ける。
【００２３】
出力部（通知手段）１４は、ディスプレイやスピーカ等の出力ＵＩであり、ＣＰＵ１１の制御下で、入力部１３から入力された内容やコンピュータＰＣ１〜ＰＣｎからユーザに通知する各種情報を表示情報や音声情報として出力する。
【００２４】
通信部１５は、ネットワークＮＷに接続され、ＣＰＵ１１の制御下で、ネットワークＮＷを介してＤＥＦコントローラ装置２や他のコンピュータＰＣ１〜ＰＣｎ等のネットワークＮＷ上の端末とコマンドやデータの授受を行う。
【００２５】
ＣＰＵ１１は、メモリ１２内のプログラムに基づいてメモリ１２をワークメモリとして利用して、アプリケーション処理や本発明の情報処理を実行する。ＣＰＵ１１は、制御プロセッサとして機能している。
【００２６】
そして、コンピュータＰＣ１〜ＰＣｎは、ＲＯＭ（Read Only Memory）、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の情報処理方法を実行する情報処理プログラムを読み込んでメモリ１２等に導入することで、後述する本発明の情報処理方法を実行する情報処理装置として構築されている。この情報処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２７】
コンピュータＰＣ１〜ＰＣｎは、上記情報処理プログラムが導入されることで、図３に示したような機能ブロックが構築される。すなわち、コンピュータＰＣ１〜ＰＣｎは、アプリケーション２１、プリンタドライバ２２及びポートモニタ２３等が構築されている。
【００２８】
アプリケーション２１は、文書作成を行うワードプロセッサ、表計算を行う表計算アプリケーション、データベースアプリケーション、図形作成アプリケーション等の各種アプリケーションを総称したものであり、作成結果の文書データや他のコンピュータＰＣ１〜ＰＣｎ等から受信した文書データの印刷要求を行うことができる。
【００２９】
プリンタドライバ２２は、ＵＩ（ユーザインターフェイス）部３１、ＪＤＦジョブチケット解析部３２、印刷設定保持部３３、ＪＤＦジョブチケット情報保持部３４、ＪＤＦジョブチケット作成部３５及び印刷データ作成部３６等を備えている。
【００３０】
プリンタドライバ２２は、アプリケーション２１によって印刷要求が発行されると、ＵＩ部３１が、印刷設定画面を出力部１４のディスプレイに表示させて、ユーザによる印刷設定（印刷条件の設定）及び本発明のＪＤＦジョブチケットのインポートに関連する各種操作を可能とする。なお、印刷条件を、以下、印刷設定情報または単に印刷設定ともいう。
【００３１】
ＵＩ部（通知手段、受取手段、印刷設定入力手段）３１は、印刷設定画面やジョブチケットインポート画面によって印刷設定操作やインポート操作が行われると、印刷設定情報や操作情報を、印刷データ作成部３６やＪＤＦジョブチケット解析部３２に渡す。
【００３２】
ＪＤＦジョブチケット解析部３２は、ＵＩ部３１で指定されたＪＤＦジョブチケットをインポートし、印刷設定に反映させる。そして、ＪＤＦジョブチケット解析部３２は、ＪＤＦジョブチケットで設定されている印刷設定のうち、プリンタドライバ２２が備えている有効印刷機能のパラメータ（すなわち、印刷装置３が備えている印刷機能のパラメータ）については、印刷設定保持部３３に保存する。また、ＪＤＦジョブチケット解析部３２は、ＪＤＦジョブチケットで設定されている印刷設定のうち、プリンタドライバ２２が備えていない有効印刷機能外のパラメータであるが、後述するように、適用したい印刷設定としてユーザによってＵＩ部３１から指定されると、該パラメータについては、ＪＤＦジョブチケット情報保持部３４に保存する。
【００３３】
印刷設定保持部３３は、ＪＤＦジョブチケット解析部３２によって保存要求された印刷設定のパラメータを保持し、ＪＤＦジョブチケット情報保持部３４は、ＪＤＦジョブチケット解析部３２によって保存要求された印刷設定のパラメータを保持する。
【００３４】
ＪＤＦジョブチケット作成部（統合手段、チケット再作成手段）３５は、印刷要求の発行された文書データに対して、印刷設定保持部３３に保持されている印刷設定を反映したＪＤＦジョブチケットを作成して、ポートモニタ２３に渡す。ＪＤＦジョブチケット作成部３５は、該文書データに対する印刷設定のパラメータがＪＤＦジョブチケット情報保持部３４に保持されていると、該印刷設定のパラメータを、印刷設定保持部３３に保持されている印刷設定と統合して、それぞれの印刷設定を反映したＪＤＦジョブチケットを生成する。
【００３５】
印刷データ作成部３６は、アプリケーション２１から印刷要求の発行された文書データを受け取って、該文書データをＰＤＬ（Page Description Language）等の印刷データに変換し、ポートモニタ２３に渡す。
【００３６】
ポートモニタ２３は、コンピュータＰＣ１〜ＰＣｎの接続されているポートの監視を行い、データ受信部４１とデータ送信部４２を備えている。データ受信部４１は、ネットワークＮＷを介してネットワークＮＷを介してＤＥＦコントローラ装置２や他のコンピュータＰＣ１〜ＰＣｎ等のネットワークＮＷ上の端末からコマンドやデータを受信する。データ送信部４２は、プリンタドライバ２２から受け取ったデータ、コマンド等、特に、ＪＤＦジョブチケットや印刷データをＤＥＦコントローラ装置２に送信する。
【００３７】
次に、本実施例の作用を説明する。本実施例の印刷システム１は、ＪＤＦジョブチケットを利用した印刷において、ＪＤＦジョブチケットのインポート側であるコンピュータＰＣ１〜ＰＣｎにおいて、ＪＤＦジョブチケットの印刷設定を満たす統合印刷設定を再生征して、該統合印刷設定のＪＤＦジョブチケットを作成し直す。
【００３８】
コンピュータＰＣ１〜ＰＣｎは、ＪＤＦジョブチケットを利用して、印刷対象の文書データに対する印刷設定を行う場合、図４及び図５に示すように、ＪＤＦジョブチケットを作成し直す処理を行う。
【００３９】
すなわち、コンピュータＰＣ１〜ＰＣｎは、ユーザによってＵＩ部３１からＪＤＦジョブチケットのインポート要求があると、ＵＩ部３１は、図６に示すようなＪＤＦジョブチケットインポート画面Ｇ１を出力部１４のディスプレイに表示させる。
【００４０】
ユーザは、ＪＤＦジョブチケットインポート画面Ｇ１が表示されると、インポートするＪＤＦジョブチケットの名称を、選択あるいは直接入力によって指定して、「適用」ボタンまたは「「ＯＫ」ボタンを操作してインポートを指示する。
【００４１】
そして、図４に示すように、ＵＩ部３１は、ＪＤＦジョブチケットインポート画面Ｇ１でインポート指示を受け付けると、受け付けたＪＤＦジョブチケットを、ＪＤＦジョブチケット解析部３２に渡して、解析命令を出す（ステップＳ１０１）。
【００４２】
ＪＤＦジョブチケット解析部３２は、ＵＩ部３１から渡されたＪＤＦジョブチケットを解析する（ステップＳ１０２）。ＪＤＦジョブチケット解析部３２は、特に、該ＪＤＦジョブチケットにおいて設定されている印刷設定とプリンタドライバ２２の備えている印刷設定機能について解析する。
【００４３】
ＪＤＦジョブチケット解析部３２は、解析したＪＤＦジョブチケットの印刷設定のパラメータがプリンタドライバ２２の備えている（サポートしている）パラメータの範囲内であるか判断する（ステップＳ１０３）。
【００４４】
ＪＤＦジョブチケット解析部３２は、ＪＤＦジョブチケットの印刷設定のパラメータがプリンタドライバ２２の備えているパラメータの範囲内であるか否かをパラメータ毎にチェックする（ステップＳ１０４）。
【００４５】
ステップＳ１０４で、ＪＤＦジョブチケットのチェック対象である印刷設定がプリンタドライバ２２の備えているパラメータの範囲内（有効印刷機能）であると（ステップＳ１０４で、ＹＥＳのとき）、ＪＤＦジョブチケット解析部３２は、該印刷設定のパラメータを、印刷設定保持部３３に保存する（ステップＳ１０５）。
【００４６】
ステップＳ１０４で、ＪＤＦジョブチケットの印刷設定がプリンタドライバ２２の備えているパラメータの範囲外であると（ステップＳ１０４で、ＮＯのとき）、ＪＤＦジョブチケット解析部３２は、ＪＤＦジョブチケットで設定されているチェック対象の印刷設定のパラメータを、印刷設定保持部３３に保存する（ステップＳ１０６）。ＪＤＦジョブチケット解析部３２は、インポート対象のＪＤＦジョブチケットで設定されているが、プリンタドライバ２２の備えていない機能については、その属性（Attribute）とパラメータを、ＪＤＦジョブチケット情報保持部３４に保存させる。例えば、図７に示すように、ＪＤＦジョブチケットでは、図７（ｂ）に示すように、WatermarkのFont Colorに、「Gold」が設定されているが、プリンタドライバ２２は、図７（ａ）に示すように、FontColorとしてサポートしているのは、シアン、マゼンタ、黄色、黒、赤、緑、青のみであり、サポートしていない。また、ＪＤＦジョブチケットでは、Header／Footerが設定されているが、プリンタドライバ２２は、Header／Footerをサポートしていない。そこで、ＪＤＦジョブチケット解析部３２は、これらHeader／FooterのAttribute及びパラメータの情報をＪＤＦジョブチケット情報保持部３４に保存させる。この場合、ＪＤＦジョブチケット情報保持部３４は、例えば、図８に示すように、AttributeとValueを設定データとして保持させる。
【００４７】
ＪＤＦジョブチケット解析部３２は、１つのパラメータの保存を行うと、ＪＤＦジョブチケット解析部３２は、ＪＤＦジョブチケットの全てのパラメータについて確認したかチェックする（ステップＳ１０７）。
【００４８】
ステップＳ１０７で、全てのパラメータについての確認が済んでいないとき（ステップＳ１０７で、ＮＯのとき）には、ＪＤＦジョブチケット解析部３２は、ステップＳ１０４に戻って、ＪＤＦジョブチケットに登録されている次のパラメータについて上記同様に処理する（ステップＳ１０４〜Ｓ１０７）。
【００４９】
ステップＳ１０７で、全てのパラメータについて確認が完了すると（ステップＳ１０７で、ＹＥＳのとき）、ＪＤＦジョブチケット解析部３２は、図５に示すように、解析完了報告とサポート外機能をＵＩ部３１に通知する（ステップＳ１０８）。
【００５０】
ＵＩ部３１は、ＪＤＦジョブチケット解析部３２からサポート外機能が通知されると、該設定対象外の機能について、出力部１４のディスプレイに、図９に示すように、サポート外機能通知画面Ｇ２として表示する等の方法でユーザに通知する。また、ＵＩ部３１は、その他の印刷設定、すなわち、プリンタドライバ２２が備えている機能については、ＪＤＦジョブチケットの印刷設定を、今回の印刷における印刷設定として復元してユーザインターフェイスとして反映させてユーザに通知する（ステップＳ１０９）。
【００５１】
ＵＩ部３１は、ユーザによる印刷開始命令があると、該印刷開始命令を受け取り（ステップＳ１１０）、ＪＤＦジョブチケット作成部３５にＪＤＦジョブチケット作成命令を出す（ステップＳ１１１）。
【００５２】
ＪＤＦジョブチケット作成部３５は、印刷設定保持部３３に保持されている印刷設定と、ＪＤＦジョブチケット情報保持部３４に保持されている設定値と、を統合して、該統合印刷設定に応じたＪＤＦジョブチケットを作成する（ステップＳ１１２）。
【００５３】
具体的には、ＪＤＦジョブチケット作成部３５は、図７の場合、まず、印刷設定保持部３３に保存されている印刷設定を、一覧として取得して設定リストを作成する。次に、ＪＤＦジョブチケット作成部３５は、ＪＤＦジョブチケット情報保持部３４に保存されている機能の属性（Attribute）と値（Value）を取得する。例えば、図７の場合、WatermarkのFontColorとその値Goldを取得する。そして、ＪＤＦジョブチケット作成部３５は、印刷設定保持部３３から取得した印刷設定に基づいて作成した設定リストに対して、ＪＤＦジョブチケット情報保持部３４から取得した機能の属性と値に対応する機能の値を上書きする。例えば、図７の場合、について、印刷設定保持部３３から取得して作成した印刷設定リストのWatermarkのFontColorに対して、ＪＤＦジョブチケット情報保持部３４から取得した値Goldを上書きする。そして、ＪＤＦジョブチケット作成部３５は、上書きした設定リストに基づいて、ＪＤＦジョブチケットを作成する。
【００５４】
ＪＤＦジョブチケット作成部３５は、作成したＪＤＦジョブチケットをポートモニタ２３を介してＤＦＥコントローラ装置２へ送信する（ステップＳ１１３）。
【００５５】
なお、上記説明においては、ステップＳ１０９で、サポート外機能については、ユーザに通知しているが、ＪＤＦジョブチケットの生成処理としては、プリンタドライバ２２が備えていない（サポートしていない）機能については、保持するように処理している。この場合、サポート外機能の通知を行う際に、ユーザが、該サポート外機能を保持するか否かを選択できるようにしてもよい。
【００５６】
この場合、ＵＩ部３１は、例えば、ユーザによってＪＤＦジョブチケットのインポート要求があると、図４に示したＪＤＦジョブチケットインポート画面Ｇ１の代わりに、図１０に示すようなＪＤＦジョブチケットインポート画面Ｇ３を出力部１４に表示する。
【００５７】
このジョブチケットインポート画面Ｇ３には、図１０に示すように、印刷設定保持機能チェックボックスが設けられている。ＪＤＦジョブチケット解析部３２は、この印刷設定保持機能チェックボックスにチェックが入れられると、プリンタドライバ２２が備えていないサポート外機能を、ＪＤＦジョブチケット情報保持部３４に保存して、該サポート外機能を保持する。ＪＤＦジョブチケット解析部３２は、印刷設定保持機能チェックボックスにチェックが入れられないと、サポート外機能を、デフォルト設定値で上書きする。
【００５８】
すなわち、コンピュータＰＣ１〜ＰＣｎは、ユーザによってＵＩ部３１からＪＤＦジョブチケットのインポート要求があると、ＵＩ部３１は、図１０に示したようなＪＤＦジョブチケットインポート画面Ｇ３を出力部１４のディスプレイに表示させる。このＪＤＦジョブチケットインポート画面Ｇ３は、上述のように、サポート外機能の保持有効／無効を選択可能な画面である。
【００５９】
ユーザは、ＪＤＦジョブチケットインポート画面Ｇ３が表示されると、インポートするＪＤＦジョブチケットの名称を、選択あるいは直接入力によって指定して、「適用」ボタンまたは「「ＯＫ」ボタンを操作してインポートを指示する。また、ユーザは、サポート外機能を保持したいときには、印刷設定保持機能チェックボックスにチェックを入れ、サポート外機能を保持しなくても良いときには、印刷設定保持機能チェックボックスにチェックを入れない。
【００６０】
そして、コンピュータＰＣ１〜ＰＣｎは、図１１に示すようにサポート外機能保持選択を伴うＪＤＦジョブチケット再生成処理を行う。なお、図１１では、図４と同様の処理ステップには、同一のステップナンバを付与してその説明を簡略化または省略する。また、コンピュータＰＣ１〜ＰＣｎは、図１１の後の処理として、図５に示した処理と同じ処理を行う。
【００６１】
すなわち、ＵＩ部３１は、図１１に示すように、ＪＤＦジョブチケットインポート画面Ｇ３でインポート指示を受け付けると、受け付けたＪＤＦジョブチケットを、ＪＤＦジョブチケット解析部３２に渡して、解析命令を出す（ステップＳ１０１）。
【００６２】
ＪＤＦジョブチケット解析部３２は、ＵＩ部３１から渡されたＪＤＦジョブチケットを上記同様に解析する（ステップＳ１０２）。
【００６３】
ＪＤＦジョブチケット解析部３２は、解析したＪＤＦジョブチケットの印刷設定のパラメータがプリンタドライバ２２のサポートしているパラメータの範囲内であるか判断する（ステップＳ１０３）。
【００６４】
ＪＤＦジョブチケット解析部３２は、ＪＤＦジョブチケットの印刷設定のパラメータがプリンタドライバ２２の備えているパラメータの範囲内であるか否かをパラメータ毎にチェックする（ステップＳ１０４）。
【００６５】
ステップＳ１０４で、ＪＤＦジョブチケットのチェック対象である印刷設定がプリンタドライバ２２の備えているパラメータの範囲内であると、ＪＤＦジョブチケット解析部３２は、該印刷設定のパラメータを、印刷設定保持部３３に保存する（ステップＳ１０５）。
【００６６】
ステップＳ１０４で、ＪＤＦジョブチケットのチェック対象である印刷設定がプリンタドライバ２２の備えているパラメータの範囲外であると、ＪＤＦジョブチケット解析部３２は、ジョブチケット保持選択状態を確認する（ステップＳ２０１）。すなわち、ＪＤＦジョブチケット解析部３２は、印刷設定保持機能チェックボックスにチェックが入れられてサポート外機能の保持が選択されているかチェックする。
【００６７】
ＪＤＦジョブチケット解析部３２は、ステップＳ２０１で、サポート外機能の保持が選択されているとき（ステップＳ２０１で、保持のとき）には、上記同様に、該サポート外印刷設定の機能のパラメータを、印刷設定保持部３３に保存する（ステップＳ１０６）。
【００６８】
ＪＤＦジョブチケット解析部３２は、ステップＳ２０１で、サポート外機能の保持が選択されていないとき（ステップＳ２０１で、上書きのとき）には、該サポート外印刷設定の機能のパラメータを、プリンタドライバ２２にデフォルトで設定されているパラメータ値で上書きして印刷設定保持部３３に保持させる（ステップＳ２０２）。例えば、ＪＤＦジョブチケット解析部３２は、図７の場合、ＪＤＦジョブチケットで設定されているWatermarkのFontColorのパラメータを、「Black」で上書きして印刷設定保持部３３に保存させる。
【００６９】
そして、ＪＤＦジョブチケット解析部３２は、上述のようにして１つのパラメータの保持を行わせると、ＪＤＦジョブチケットの全てのパラメータについて確認したかチェックする（ステップＳ１０７）。
【００７０】
ステップＳ１０７で、全てのパラメータについての確認が済んでいないときには、ＪＤＦジョブチケット解析部３２は、ステップＳ１０４に戻って、ＪＤＦジョブチケットに登録されている次のパラメータについて上記同様に処理する（ステップＳ１０４〜Ｓ１０７）。
【００７１】
ステップＳ１０７で、全てのパラメータについて確認が完了すると、コンピュータＰＣ１〜ＰＣｎは、上記同様に、図５の処理を行う（ステップＳ１０８〜Ｓ１１３）。
【００７２】
そして、図５に示したように、ＪＤＦジョブチケット解析部３２は、解析完了報告とサポート外機能をＵＩ部３１に通知する（ステップＳ１０８）。
【００７３】
ＵＩ部３１は、ＪＤＦジョブチケット解析部３２からサポート外機能が通知されると、該設定対象外の機能について、出力部１４のディスプレイに、図９に示したように、サポート外機能通知画面Ｇ２として表示する等の方法でユーザに通知する。また、ＵＩ部３１は、その他の印刷設定、すなわち、プリンタドライバ２２が備えている機能については、ＪＤＦジョブチケットの印刷設定を、今回の印刷における印刷設定として復元してユーザインターフェイスとして反映させてユーザに通知する（ステップＳ１０９）。
【００７４】
そして、ＵＩ部３１は、サポート外機能通知画面Ｇ２の表示とともに、印刷設定画面を表示するが、この印刷画面の表示においては、デフォルトで上書きした印刷設定については、印刷設定の変更を不可能にする画面表示とする。例えば、ＵＩ部３１は、図７の場合、ヘッダ／フッタについては、図１２に示すような印刷設定変更不可状態の印刷設定画面Ｇ４を表示して印刷設定の変更を不可能とする。
【００７５】
なお、上記説明においては、印刷システム１は、コンピュータＰＣ１〜ＰＣｎが、ＪＤＦジョブチケットの印刷設定の再設定を行なっているが、印刷装置３が、印刷設定の再設定処理を行なってもよい。
【００７６】
このように、本実施例の印刷システム１は、その情報処理装置であるコンピュータＰＣ１〜ＰＣｎが、インポート対象のジョブチケットを解析して、該ジョブチケットの印刷設定が印刷先の印刷装置３の備えている有効印刷機能の範囲内であるか否かを判断するＪＤＦジョブチケット解析部（解析手段）３２と、前記解析結果に基づいて、前記有効印刷機能以外の印刷設定に関する情報を通知するＵＩ部（通知手段）３１と、前記ＵＩ部３１の通知に応じて前記有効印刷機能以外の印刷設定に対する対応方法を受け取るＵＩ部（受取手段）３１と、前記受取手段としてのＵＩ部３１の受け取った前記有効印刷機能以外の印刷設定と前記有効印刷機能の印刷設定を統合して統合印刷設定を生成するＪＤＦジョブチケット作成部（統合手段）３５と、を備えている。
【００７７】
したがって、ジョブチケットを利用した印刷において、該ジョブチケットの印刷設定を満たす印刷設定を生成することができ、過去の印刷設定と同じ印刷設定であってユーザの意図する印刷設定によって印刷を行うことができる。
【００７８】
このようにすると、コンピュータ等の情報処理装置からジョブチケットと印刷データが送信するのみで、印刷装置３が、ジョブチケットで指定されている印刷設定を、自己の備えている機能に応じて再設定して印刷処理することができる。
【００７９】
また、本実施例の印刷システム１は、そのコンピュータＰＣ１〜ＰＣｎが、インポート対象のジョブチケットを解析して、該ジョブチケットの印刷設定が印刷先の印刷装置３の備えている有効印刷機能の範囲内であるか否かを判断する解析処理ステップと、前記解析結果に基づいて、前記有効印刷機能以外の印刷設定に関する情報を通知する通知処理ステップと、前記通知処理ステップでの通知に応じて前記有効印刷機能以外の印刷設定に対する対応方法を受け取る受取処理ステップと、前記受取処理ステップで受け取った前記有効印刷機能以外の印刷設定と前記有効印刷機能の印刷設定を統合して統合印刷設定を生成する統合処理ステップと、を有する情報処理方法を実行している。
【００８０】
したがって、ジョブチケットを利用した印刷において、該ジョブチケットの印刷設定を満たす印刷設定を生成することができ、過去の印刷設定と同じ印刷設定であってユーザの意図する印刷設定によって印刷を行うことができる。
【００８１】
さらに、本実施例の印刷システム１は、そのコンピュータＰＣ１〜ＰＣｎが、制御プロセッサであるＣＰＵ１１に、インポート対象のジョブチケットを解析する解析して、該ジョブチケットの印刷設定が印刷先の印刷装置の備えている有効印刷機能の範囲内であるか否かを判断する解析処理と、前記解析結果に基づいて、前記有効印刷機能以外の印刷設定に関する情報を通知する通知処理と、前記通知処理での通知に応じて前記有効印刷機能以外の印刷設定に対する対応方法を受け取る受取処理と、前記受取処理で受け取った前記有効印刷機能以外の印刷設定と前記有効印刷機能の印刷設定を統合して統合印刷設定を生成する統合処理と、を実行させる情報処理プログラムを搭載している。
【００８２】
したがって、ジョブチケットを利用した印刷において、該ジョブチケットの印刷設定を満たす印刷設定を生成することができ、過去の印刷設定と同じ印刷設定であってユーザの意図する印刷設定によって印刷を行うことができる。
【００８３】
また、本実施例の印刷システム１は、統合手段としてのＪＤＦジョブチケット作成部３５の統合した統合印刷設定に基づいてジョブチケットを再作成するＪＤＦジョブチケット作成部（チケット再作成手段）３５を、さらに備えている。
【００８４】
したがって、ＪＤＦジョブチケットを利用して印刷する印刷装置３に対して、ＪＤＦジョブチケットを作成して印刷させることができる。
【００８５】
さらに、本実施例の印刷システム１は、コンピュータＰＣ１〜ＰＣｎの前記統合手段としてのＪＤＦジョブチケット作成部３５が、前記受取手段としてのＵＩ部３１が、前記有効印刷機能以外の印刷設定を破棄する旨の対応方法を受け取ると、該破棄する旨の対応方法を受け取った印刷設定については、該印刷設定のパラメータをデフォルトのパラメータで上書きした後、その他の前記有効印刷機能以外の印刷設定と前記有効印刷機能の印刷設定を統合する。
【００８６】
したがって、ジョブチケットの設定を最大限に活用しつつ、ユーザの意図する印刷設定のジョブチケットを再作成することができる。
【００８７】
また、本実施例の印刷システム１は、コンピュータＰＣ１〜ＰＣｎの前記受付手段としてのＵＩ部３１が、前記有効印刷機能については、前記印刷設定の変更の受け付けを拒否する。
【００８８】
したがって、ジョブチケットの設定が誤って変更されることを防止することができ、過去の印刷設定と同じ印刷設定であってユーザの意図する印刷設定によって印刷を行うことができる。
【００８９】
さらに、本実施例の印刷システム１は、コンピュータＰＣ１〜ＰＣｎが、前記通知手段としてのＵＩ部３１の通知する前記有効印刷機能以外の印刷設定情報についてのみ印刷設定の変更を可能とするＵＩ部（印刷設定入力手段）３１を、さらに備えている。
【００９０】
したがって、ジョブチケットの設定が誤って変更されることをより一層確実に防止することができ、過去の印刷設定と同じ印刷設定であってユーザの意図する印刷設定によって印刷を行うことができる。
【００９１】
なお、上記説明においては、ジョブチケットとして、ＪＤＦジョブチケットを取り上げて説明したが、ジョブチケットとしては、ＪＤＦジョブチケットに限るものではない。
【００９２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００９３】
１  印刷システム
ＮＷ  ネットワーク
ＰＣ１〜ＰＣｎ  コンピュータ
２  ＤＦＥコントローラ装置
３  印刷装置
１１  ＣＰＵ
１２  メモリ
１３  入力部
１４  出力部
１５  通信部
１６  バス
２１  アプリケーション
２２  プリンタドライバ
２３  ポートモニタ
３１  ＵＩ部
３２  ＪＤＦジョブチケット解析部
３３  印刷設定保持部
３４  ＪＤＦジョブチケット情報保持部
３５  ＪＤＦジョブチケット作成部
３６  印刷データ作成部
４１  データ受信部
４２  データ送信部
Ｇ１  ＪＤＦジョブチケットインポート画面
Ｇ２  サポート外機能通知画面
Ｇ３  ＪＤＦジョブチケットインポート画面
Ｇ４  印刷設定変更不可状態の印刷設定画面
【先行技術文献】
【特許文献】
【００９４】
【特許文献１】特開２００８−０９０６３１号公報
【図１】
2014215800.tif 000003
【図２】
2014215800.tif 000004
【図３】
2014215800.tif 000005
【図４】
2014215800.tif 000006
【図５】
2014215800.tif 000007
【図６】
2014215800.tif 000008
【図７】
2014215800.tif 000009
【図８】
2014215800.tif 000010
【図９】
2014215800.tif 000011
【図１０】
2014215800.tif 000012
【図１１】
2014215800.tif 000013
【図１２】
2014215800.tif 000014